(57)【要約】【課題】電話機を通じて通話をする相手に、別途ネットワークを付設することなしにメッセージなどの情報交換が可能な交換機システムを提供する。【解決手段】交換機２ａと、交換機２ａに接続され、かつＰＣ電話機４ａに接続可能な内線電話機３ａと、交換機２ａに接続され、かつＰＣ電話機４ｂに接続可能な内線電話機３ｂとを有する交換機システム１において、内線電話機３ａは、内線電話機３ｂの内線番号を指定した送信先情報とメッセージとをＰＣ電話機４ａから受信すると、送信先情報とメッセージとにＰＣ電話機４ｂ宛とする識別情報を付して制御データとして交換機２ａへ送信し、交換機２ａは、受信した送信先情報が内線電話機３ｂの内線番号であれば、制御データを内線電話機３ｂへ送信し、内線電話機３ｂは、交換機２ａから受信したメッセージにＰＣ電話機４ｂ宛とする識別情報が付されていると、このメッセージをＰＣ電話機４ｂへ送信するものである。【選択図】図１
2006060632.tif 000002
【特許請求の範囲】
【請求項１】
交換機と、前記交換機に接続され、かつ第１の端末装置に接続可能な第１の電話機と、前記交換機に接続され、かつ第２の端末装置に接続可能な第２の電話機とを有する交換機システムにおいて、
前記第１の電話機は、前記第２の電話機の内線番号を送信先として指定した送信先情報とメッセージとを前記第１の端末装置から受信すると、前記送信先情報と前記メッセージとに前記第２の端末装置宛とする識別情報を付して制御データとして前記交換機へ送信する手段を備え、
前記交換機は、受信した前記送信先情報が前記第２の電話機の内線番号であれば、前記制御データを前記第２の電話機へ送信する手段を備え、
前記第２の電話機は、前記交換機から受信したメッセージに前記第２の端末装置宛とする識別情報が付されていると、当該メッセージを前記第２の端末装置へ送信する手段を備えたことを特徴とする交換機システム。
【請求項２】
前記交換機は、前記第２の電話機に前記第２の端末装置が接続されているか否かを検出する検出手段と、
前記第１の電話機から受信した前記送信先情報が前記第２の電話機の内線番号のときに、前記検出手段により前記第２の電話機と前記第２の端末装置とが接続されていないと判定されると、メッセージに前記第２の電話機宛とする識別情報を付して前記第２の電話機へ送信する手段とを備えたことを特徴とする請求項１記載の交換機システム。
【請求項３】
前記第２の電話機は、前記交換機から受信したメッセージに前記第２の電話機宛の識別情報が付されていると、当該メッセージを表示手段に表示し、前記第２の端末装置宛の識別情報が付されていると、当該メッセージを前記第２の端末装置へ送信する手段を備えたことを特徴とする請求項２記載の交換機システム。
【請求項４】
前記交換機は、受信した送信先情報とメッセージとを蓄積する記憶手段と、
前記記憶手段に蓄積された送信先情報が前記第２の電話機の内線番号であり、かつ前記検出手段により前記第２の電話機に前記第２の端末装置が接続されていると判定されれば、前記記憶手段に蓄積されたメッセージを読み出して、前記第２の電話機へ送信する手段とを備えたことを特徴とする請求項２または３記載の交換機システム。
【請求項５】
前記交換機は、前記第１の電話機から受信したメッセージに含まれる指定時間となったことを通知するタイマ手段と、前記タイマ手段からの通知により前記記憶手段に蓄積された送信先情報とメッセージとを読み出し、送信先情報が前記第２の電話機の内線番号であれば、当該メッセージを前記第２の電話機へ送信する手段とを備えたことを特徴とする請求項４記載の交換機システム。
【請求項６】
前記交換機は、前記記憶手段に蓄積した送信先情報が前記第２の電話機の内線番号であれば、メッセージを前記記憶手段に蓄積したことを示すメッセージ蓄積通知を前記第２の電話機へ送信する手段と、前記第２の端末装置からの読み取り要求通知の受信に応じて蓄積されたメッセージを前記第２の電話機へ送信する手段を備え、
前記第２の電話機は、前記メッセージ蓄積通知を前記第２の端末装置へ送信する手段と、前記第２の端末装置から受信した前記メッセージ蓄積通知に対応するメッセージの読み取り要求通知を前記交換機へ送信する手段とを備えたことを特徴とする請求項４または５記載の交換機システム。
【請求項７】
前記交換機の記憶手段には、複数の内線番号と、前記複数の内線番号に対応したグループ情報とが格納され、
前記第１の電話機は、送信先情報として前記グループ情報を指定してメッセージとともに前記交換機へ送信する手段を備え、
前記交換機は、前記グループ情報とした送信先情報を受信すると、前記記憶手段に設定された前記グループ情報に対応した複数の内線番号を有する内線電話機へ、前記メッセージを送信する手段を備えたことを特徴とする請求項１から６のいずれかの項に記載の交換機システム。
【請求項８】
前記第１の電話機は、複数の内線番号を送信先情報として指定してメッセージとともに交換機へ送信する手段を備え、
前記交換機は、複数の内線番号の送信先情報を受信すると、この複数の内線番号のそれぞれを有する内線電話機へ、前記メッセージを送信する手段を備えたことを特徴とする請求項１から６のいずれかの項に記載の交換機システム。
【請求項９】
交換機と、前記交換機に接続され、かつ第１の端末装置に接続可能な第１の電話機と、前記交換機に接続され、かつ第２の端末装置に接続可能な第２の電話機とを有する交換機システムの通信方法において、
前記第１の電話機が、前記第２の電話機の内線番号を送信先として指定した送信先情報とメッセージとを前記第１の端末装置から受信すると、前記送信先情報と前記メッセージとに前記第２の端末装置宛とする識別情報を付して制御データとして前記交換機へ送信するステップと、
前記交換機が、受信した前記送信先情報が前記第２の電話機の内線番号であれば、前記制御データを前記第２の電話機へ送信するステップと、
前記第２の電話機が、前記交換機から受信したメッセージに前記第２の端末装置宛とする識別情報が付されていると、当該メッセージを前記第２の端末装置へ送信するステップとを含むことを特徴とする交換機システムの通信方法。
【請求項１０】
前記交換機が、前記第２の電話機に前記第２の端末装置が接続されているか否かを検出する検出ステップと、
前記第１の電話機から受信した前記送信先情報が前記第２の電話機の内線番号のときに、前記検出ステップにより前記第２の電話機と前記第２の端末装置とが接続されていると判定する判定ステップと、
前記判定ステップにより前記第２の電話機と前記第２の端末装置とが接続されていると判定されると、メッセージに前記第２の端末装置宛とする識別情報を付すステップと、
前記判定ステップにより前記第２の電話機と前記第２の端末装置とが接続されていないと判定されると、メッセージに前記第２の電話機宛とする識別情報を付すステップと、
前記識別情報を付したメッセージを前記第２の電話機へ送信するステップとを含むことを特徴とする請求項９記載の交換機システムの通信方法。
【請求項１１】
前記第２の電話機が、前記交換機から受信したメッセージに前記第２の電話機宛の識別情報が付されていると、当該メッセージを表示手段に表示するステップと、
前記第２の端末装置宛の識別情報が付されていると、当該メッセージを前記第２の端末装置へ送信するステップとを含むことを特徴とする請求項１０記載の交換機システムの通信方法。
【請求項１２】
前記交換機は、受信した送信先情報とメッセージとを記憶手段に蓄積するステップと、
前記記憶手段に蓄積された送信先情報が前記第２の電話機の内線番号であり、かつ前記検出手段により前記第２の電話機に前記第２の端末装置が接続されていると判定されれば、前記記憶手段に蓄積されたメッセージを読み出して、前記第２の電話機へ送信するステップとを含むことを特徴とする請求項１０または１１記載の交換機システムの通信方法。
【請求項１３】
前記交換機が、前記第１の電話機から受信したメッセージに含まれる指定時間となったことを通知するタイマ手段からの通知により前記記憶手段に蓄積された送信先情報とメッセージとを読み出すステップと、
読み出した送信先情報が前記第２の電話機の内線番号であれば、当該メッセージを前記第２の電話機へ送信するステップとを含むことを特徴とする請求項１２記載の交換機システムの通信方法。
【請求項１４】
前記交換機が、前記記憶手段に蓄積された送信先情報が前記第２の電話機の内線番号であれば、メッセージを前記記憶手段に蓄積したことを示すメッセージ蓄積通知を前記第２の電話機へ送信するステップと、
前記第２の電話機が、前記メッセージ蓄積通知を前記第２の端末装置へ送信するステップと、
前記第２の電話機が、前記第２の端末装置から受信したメッセージの読み取り要求通知を前記交換機へ送信するステップと、
前記交換機が、前記第２の電話機からの読み取り要求通知の受信に応じて蓄積されたメッセージを前記第２の電話機へ送信するステップとを含むことを特徴とする請求項１２または１３に記載の交換機システムの通信方法。
【請求項１５】
前記第１の電話機が、前記交換機の記憶手段に格納された複数の内線番号と前記複数の内線番号に対応したグループ情報とのうち、前記グループ情報を指定してメッセージとともに前記交換機へ送信するステップと、
前記交換機が、前記グループ情報とした送信先情報を受信すると、前記記憶手段に設定された前記グループ情報に対応した複数の内線番号を有する内線電話機へ、前記メッセージを送信するステップとを含むことを特徴とする請求項９から１４のいずれかの項に記載の交換機システムの通信方法。
【請求項１６】
前記第１の電話機が、複数の内線番号を送信先情報として指定してメッセージとともに交換機へ送信するステップと、
前記交換機が、複数の内線番号の送信先情報を受信すると、この複数の内線番号のそれぞれを有する内線電話機へ、前記メッセージを送信するステップとを含むことを特徴とする請求項９から１５のいずれかの項に記載の交換機システムの通信方法。
【発明の詳細な説明】
【技術分野】
【０００１】
本発明は、パーソナルコンピュータ（以下、ＰＣと称す。）が接続可能な電話機と、この電話機が接続する交換機とを備える交換機システムおよびその通信方法に関する。
【背景技術】
【０００２】
最近の電話機は、交換機と接続される電話インタフェース以外に入出力ポートが設けられているものが多い。このシリアル入出力ポートに端末装置であるＰＣを接続することで、ＰＣから入力された発信先電話機番号を交換機へ通知して発信することができる。このようなＰＣが接続できる電話機が（特許文献１）に記載されている。
【０００３】
（特許文献１）に記載の電話機は、交換機との通信をＤ＋２Ｂで行っている。Ｂチャンネルでは、交換機に接続される他の電話機や、他の電話機に接続される他のＰＣとのエンド−エンドの間で、音声またはデータの伝送が行われている。そしてＤチャンネルでは、交換機への制御データのみならず、ＰＣとのデータを伝送可能としている。ＰＣとのデータをＤチャンネルを通じて伝送可能とすることで、ＰＣ上で動作するアプリケーションプログラムのデータを交換機へ伝送し、交換機に接続される内線電話機の使用状況や動作状況を示すデータを受信することが可能となり、操作者に対して利便性の高いサービスを提供することが可能となるものである。
【特許文献１】特許第３２９３１６５号公報
【発明の開示】
【発明が解決しようとする課題】
【０００４】
しかし、（特許文献１）に記載の電話機では、ＰＣと交換機との間でデータの伝送を可能とするだけなので、この電話機に接続されたＰＣから相手側の電話機へはメッセージを送ることはできない。このような場合には、通信をしようとする同士でＬＡＮ（Local Area Network）などのネットワークで接続されたＰＣを別途準備する必要がある。
【０００５】
そうなると、電話線を敷設する以外にネットワークを付設する必要があり、システムの規模が大きいものとなり、多大な費用がかかる。そこで本発明は、電話機を通じて通話をする相手に、別途ネットワークを付設することなしにメッセージなどの情報交換が可能な交換機システムおよび交換機システムの通信方法を提供することを目的とする。
【課題を解決するための手段】
【０００６】
本発明の交換機システムは、交換機と、交換機に接続され、かつ第１の端末装置に接続可能な第１の電話機と、交換機に接続され、かつ第２の端末装置に接続可能な第２の電話機とを有する交換機システムにおいて、第１の電話機は、第２の電話機の内線番号を送信先として指定した送信先情報とメッセージとを第１の端末装置から受信すると、送信先情報とメッセージとに第２の端末装置宛とする識別情報を付して制御データとして交換機へ送信する手段を備え、交換機は、受信した送信先情報が第２の電話機の内線番号であれば、制御データを第２の電話機へ送信する手段を備え、第２の電話機は、交換機から受信したメッセージに第２の端末装置宛とする識別情報が付されていると、当該メッセージを第２の端末装置へ送信する手段を備えたことを特徴とする。
【０００７】
また、本発明の交換機システムの通信方法は、交換機と、交換機に接続され、かつ第１の端末装置に接続可能な第１の電話機と、交換機に接続され、かつ第２の端末装置に接続可能な第２の電話機とを有する交換機システムの通信方法において、第１の電話機が、第２の電話機の内線番号を送信先として指定した送信先情報とメッセージとを第１の端末装
置から受信すると、送信先情報とメッセージとに第２の端末装置宛とする識別情報を付して制御データとして交換機へ送信するステップと、交換機が、受信した送信先情報が第２の電話機の内線番号であれば、制御データを第２の電話機へ送信するステップと、第２の電話機が、交換機から受信したメッセージに第２の端末装置宛とする識別情報が付されていると、当該メッセージを第２の端末装置へ送信するステップとを含むことを特徴とする。
【発明の効果】
【０００８】
本発明の交換機システムは、メッセージなどの情報を送信する相手を送信先情報として内線番号を指定して送ることができるので、電話機を通じて通話をする相手に、別途ネットワークを付設することなしにメッセージなどの情報交換をすることが可能である。従って、コストの廉価なシステムとすることができる。
【発明を実施するための最良の形態】
【０００９】
本願の第１の発明は、交換機と、交換機に接続され、かつ第１の端末装置に接続可能な第１の電話機と、交換機に接続され、かつ第２の端末装置に接続可能な第２の電話機とを有する交換機システムにおいて、第１の電話機は、第２の電話機の内線番号を送信先として指定した送信先情報とメッセージとを第１の端末装置から受信すると、送信先情報とメッセージとに第２の端末装置宛とする識別情報を付して制御データとして交換機へ送信する手段を備え、交換機は、受信した送信先情報が第２の電話機の内線番号であれば、制御データを第２の電話機へ送信する手段を備え、第２の電話機は、交換機から受信したメッセージに第２の端末装置宛とする識別情報が付されていると、当該メッセージを第２の端末装置へ送信する手段を備えたことを特徴としたものである。
【００１０】
メッセージの送信先として内線番号を指定して送信することができるので、内線が敷設されていれば、端末装置同士のメッセージ通信にＬＡＮなどのネットワークを別に敷設する必要がない。従って、コストの廉価なシステムとすることができる。
【００１１】
本願の第２の発明は、交換機は、第２の電話機に第２の端末装置が接続されているか否かを検出する検出手段と、第１の電話機から受信した送信先情報が第２の電話機の内線番号のときに、検出手段により第２の電話機と第２の端末装置とが接続されていないと判定されると、メッセージに第２の電話機宛とする識別情報を付して第２の電話機へ送信する手段とを備えたことを特徴としたものである。
【００１２】
送信先の内線番号が割り当てられた電話機に端末装置が接続されているか否かに応じて、送信元の電話機から受信したメッセージに付される識別情報を送信先の電話機宛か、または送信先の電話機に接続される端末装置宛かとすることができるので、交換機が送信先の電話機に接続される端末装置の接続状態に応じてメッセージの送信先を変更することができる。
【００１３】
本願の第３の発明は、第２の電話機は、交換機から受信したメッセージに第２の電話機宛の識別情報が付されていると、当該メッセージを表示手段に表示し、第２の端末装置宛の識別情報が付されていると、当該メッセージを第２の端末装置へ送信する手段を備えたことを特徴としたものである。
【００１４】
送信先となる電話機に端末装置が接続されていない場合でも、送信先の電話機に備えた表示手段にメッセージを表示させることができる。また、送信先の電話機に端末装置が接続されている場合には、このメッセージを送信先の電話機が端末装置へ送信するので、端末装置側で表示さることができる。
【００１５】
本願の第４の発明は、交換機は、受信した送信先情報とメッセージとを蓄積する記憶手段と、記憶手段に蓄積された送信先情報が第２の電話機の内線番号であり、かつ検出手段により第２の電話機に第２の端末装置が接続されていると判定されれば、記憶手段に蓄積されたメッセージを読み出して、第２の電話機へ送信する手段とを備えたことを特徴としたものである。
【００１６】
交換機に、受信した送信先情報とメッセージとを蓄積する記憶手段を備え、記憶手段に蓄積されたメッセージを、送信先の電話機に端末装置が接続されていれば、読み出して送信先の電話機へ送信することで、端末装置が送信先の電話機に未接続状態である場合は、記憶手段に蓄積しておくことができる。
【００１７】
本願の第５の発明は、交換機は、第１の電話機から受信したメッセージに含まれる指定時間となったことを通知するタイマ手段と、タイマ手段からの通知により記憶手段に蓄積された送信先情報とメッセージとを読み出し、送信先情報が第２の電話機の内線番号であれば、当該メッセージを第２の電話機へ送信する手段とを備えたことを特徴としたものである。
【００１８】
所定時間となったことをタイマ手段により検出して、記憶手段に蓄積された送信先情報とメッセージとを読み出して、送信先の電話機へメッセージを送信することで、交換機に送信予約機能を持たせることができる。
【００１９】
本願の第６の発明は、交換機は、記憶手段に蓄積した送信先情報が第２の電話機の内線番号であれば、メッセージを記憶手段に蓄積したことを示すメッセージ蓄積通知を第２の電話機へ送信する手段と、第２の端末装置からの読み取り要求の受信に応じて蓄積されたメッセージを第２の電話機へ送信する手段を備え、第２の電話機は、メッセージ蓄積通知を第２の端末装置へ送信する手段と、第２の端末装置から受信したメッセージ蓄積通知に対応するメッセージの読み取り要求通知を交換機へ送信する手段とを備えたことを特徴としたものである。
【００２０】
交換機が送信先へ記憶手段に蓄積したことを示すメッセージ蓄積通知を送信し、このメッセージ蓄積通知に対応するメッセージ読み取り要求通知の受信により、蓄積されたメッセージを送信先へ送信することで、読みたいときに読みたいメッセージを送信先となった電話機に接続される端末装置が受信することができる。
【００２１】
本願の第７の発明は、交換機の記憶手段には、複数の内線番号と、複数の内線番号に対応したグループ情報とが格納され、第１の電話機は、送信先情報としてグループ情報を指定してメッセージとともに交換機へ送信する手段を備え、交換機は、グループ情報とした送信先情報を受信すると、記憶手段に設定されたグループ情報に対応した複数の内線番号を有する内線電話機へ、メッセージを送信する手段を備えたことを特徴としたものである。
【００２２】
交換機に設定された複数の内線番号に対応したグループ情報で、第１の電話機からメッセージが送信できるので、メッセージを同報送信したい場合に、容易に行うことができる。また、交換機の記憶手段の設定によるので、グループを着信グループとしたり、フロア全部としたり、会社全部としたり、様々なグループとして設定することができる。
【００２３】
本願の第８の発明は、第１の電話機は、複数の内線番号を送信先情報として指定してメッセージとともに交換機へ送信する手段を備え、交換機は、複数の内線番号の送信先情報を受信すると、この複数の内線番号のそれぞれを有する内線電話機へ、メッセージを送信する手段を備えたことを特徴としたものである。
【００２４】
第１の電話機から複数の内線電話機を送信先情報として指定することで、それぞれに同じメッセージを送信することができるので、同報送信を個々に指定して行うことができる。
【００２５】
本願の第９の発明は、交換機と、交換機に接続され、かつ第１の端末装置に接続可能な第１の電話機と、交換機に接続され、かつ第２の端末装置に接続可能な第２の電話機とを有する交換機システムの通信方法において、第１の電話機が、第２の電話機の内線番号を送信先として指定した送信先情報とメッセージとを第１の端末装置から受信すると、送信先情報とメッセージとに第２の端末装置宛とする識別情報を付して制御データとして交換機へ送信するステップと、交換機が、受信した送信先情報が第２の電話機の内線番号であれば、制御データを第２の電話機へ送信するステップと、第２の電話機が、交換機から受信したメッセージに第２の端末装置宛とする識別情報が付されていると、当該メッセージを第２の端末装置へ送信するステップとを含むことを特徴とした通信方法である。
【００２６】
メッセージの送信先として内線番号を指定して送信することができるので、内線が敷設されていれば、端末装置同士のメッセージ通信にＬＡＮなどのネットワークを別に敷設する必要がない。従って、コストの廉価なシステムとすることができる。
【００２７】
本願の第１０の発明は、交換機が、第２の電話機に第２の端末装置が接続されているか否かを検出する検出ステップと、第１の電話機から受信した送信先情報が第２の電話機の内線番号のときに、検出ステップにより第２の電話機と第２の端末装置とが接続されていると判定する判定ステップと、判定ステップにより第２の電話機と第２の端末装置とが接続されていると判定されると、メッセージに第２の端末装置宛とする識別情報を付すステップと、判定ステップにより第２の電話機と第２の端末装置とが接続されていないと判定されると、メッセージに第２の電話機宛とする識別情報を付すステップと、識別情報を付したメッセージを第２の電話機へ送信するステップとを含むことを特徴とした通信方法である。
【００２８】
送信先の内線番号が割り当てられた電話機に端末装置が接続されているか否かに応じて、送信元の電話機から受信したメッセージに付される識別情報を、送信先の電話機宛か、または送信先の電話機に接続される端末装置宛かとすることができるので、交換機が送信先の電話機に接続される端末装置の接続状態に応じてメッセージの送信先を変更することができる。
【００２９】
本願の第１１の発明は、第２の電話機が、交換機から受信したメッセージに第２の電話機宛の識別情報が付されていると、当該メッセージを表示手段に表示するステップと、第２の端末装置宛の識別情報が付されていると、当該メッセージを第２の端末装置へ送信するステップとを含むことを特徴とした通信方法である。
【００３０】
送信先となる電話機に端末装置が接続されていない場合でも、送信先の電話機に備えた表示手段にメッセージを表示させることができる。また、送信先の電話機に端末装置が接続されている場合には、このメッセージを送信先の電話機が端末装置へ送信するので、端末装置側で表示させることができる。
【００３１】
本願の第１２の発明は、交換機は、受信した送信先情報とメッセージとを記憶手段に蓄積するステップと、記憶手段に蓄積された送信先情報が第２の電話機の内線番号であり、かつ検出手段により第２の電話機に第２の端末装置が接続されていると判定されれば、記憶手段に蓄積されたメッセージを読み出して、第２の電話機へ送信するステップとを含むことを特徴とした通信方法である。
【００３２】
交換機に受信した送信先情報とメッセージとを蓄積する記憶手段を備え、記憶手段に蓄積されたメッセージを送信先の電話機に端末装置が接続されていれば、読み出して送信先の電話機へ送信することで、端末装置が送信先の電話機に未接続状態である場合は、記憶手段に蓄積しておくことができる。
【００３３】
本願の第１３の発明は、交換機が、第１の電話機から受信したメッセージに含まれる指定時間となったことを通知するタイマ手段からの通知により記憶手段に蓄積された送信先情報とメッセージとを読み出すステップと、読み出した送信先情報が第２の電話機の内線番号であれば、当該メッセージを第２の電話機へ送信するステップとを含むことを特徴とした通信方法である。
【００３４】
所定時間となったことをタイマ手段により検出して、記憶手段に蓄積された送信先情報とメッセージとを読み出して、送信先の電話機へメッセージを送信することで、交換機に送信予約機能を持たせることができる。
【００３５】
本願の第１４の発明は、交換機が、記憶手段に蓄積された送信先情報が第２の電話機の内線番号であれば、メッセージを記憶手段に蓄積したことを示すメッセージ蓄積通知を第２の電話機へ送信するステップと、第２の電話機が、メッセージ蓄積通知を第２の端末装置へ送信するステップと、第２の電話機が、第２の端末装置から受信したメッセージの読み取り要求を交換機へ送信するステップと、交換機が、第２の電話機からの読み取り要求の受信に応じて蓄積されたメッセージを第２の電話機へ送信するステップとを含むことを特徴とした通信方法である。
【００３６】
交換機が送信先へ記憶手段に蓄積したことを示すメッセージ蓄積通知を送信し、このメッセージ蓄積通知に対応するメッセージ読み取り要求通知の受信により、蓄積されたメッセージを送信先へ送信することで、読みたいときに読みたいメッセージを送信先となった電話機に接続される端末装置が受信することができる。
【００３７】
本願の第１５の発明は、第１の電話機が、交換機の記憶手段に格納された複数の内線番号と複数の内線番号に対応したグループ情報とのうち、グループ情報を指定してメッセージとともに交換機へ送信するステップと、交換機が、グループ情報とした送信先情報を受信すると、記憶手段に設定されたグループ情報に対応した複数の内線番号を有する内線電話機へ、メッセージを送信するステップとを含むことを特徴とした通信方法である。
【００３８】
交換機に設定された複数の内線番号に対応したグループ情報で、第１の電話機からメッセージが送信できるので、メッセージを同報送信した場合に、容易に行うことができる。また、交換機の記憶手段の設定によるので、グループを着信グループとしたり、フロア全部としたり、会社全部としたり、様々なグループとして設定することができる。
【００３９】
本願の第１６の発明は、第１の電話機が、複数の内線番号を送信先情報として指定してメッセージとともに交換機へ送信するステップと、交換機が、複数の内線番号の送信先情報を受信すると、この複数の内線番号のそれぞれを有する内線電話機へ、メッセージを送信するステップとを含むことを特徴とした通信方法である。
【００４０】
第１の電話機から複数の内線電話機を送信先情報として指定することで、それぞれに同じメッセージを送信することができるので、同報送信を個々に指定して行うことができる。
【００４１】
（実施の形態）
本発明の実施の形態に係る交換機システムの構成を図１から図４に基づいて説明する。図１は本発明の実施の形態に係る交換機システムの構成を説明する図である。図２は図１の交換機の構成を説明する図である。図３は図１の内線電話機の構成を説明する図である。図４は図１のＰＣ電話機の構成を説明する図である。
【００４２】
図１に示すように交換機システム１は、交換機２ａに内線電話機３ａ，３ｂが接続されている。また交換機２ａは、インターネットやＷＡＮ（Wide Area Network）などを介して他の交換機２ｂとも接続されており、交換機２ｂには内線電話機３ｃが接続されている。内線電話機３ａ〜３ｃにそれぞれＰＣ電話機４ａ〜４ｃが接続されることでＣＴＩ（Computer Telephony Integration）システムとして機能している。
【００４３】
本実施の形態では交換機２ａ，２ｂを同じ構成とし、内線電話機３ａ〜３ｃを同じ構成としている。また、内線電話機３ａ〜３ｃには、それぞれ電話機機能を有する端末装置であるＰＣ電話機４ａ〜４ｃが接続されている。本明細書中において、交換機２ａ，２ｂを総称して単に交換機２と称する。同様に内線電話機３ａ〜３ｂを内線電話機３と、ＰＣ電話機４ａ〜４ｃをＰＣ電話機４と称する。
【００４４】
交換機２と、内線電話機３とは、内線電話線で６４Ｋｂｐｓの伝送速度を持ち音声データの通信に用いられる２つのＢチャンネルと、発信先電話番号を通知する制御データなどの通信に用いられる１つのＤチャンネルとの２Ｂ＋Ｄで接続される。
【００４５】
内線電話機３とＰＣ電話機４とは、それぞれＵＳＢ（Universal Serial Bus）で接続されているが、通信可能なインタフェースであればシリアルインタフェースでもパラレルインタフェースでもよいが、内線電話機３とＰＣ電話機４との間で大容量のデータ伝送を行うのであれば高速伝送が可能なインタフェースとするのが望ましい。
【００４６】
次に、本発明の実施の形態に係る交換機システム１に用いられる交換機２の構成について図２に基づいて説明する。図２に示すように、交換機２は、内線電話機３と接続する内線インタフェース部２１と、加入者電話網や専用線と接続する外線インタフェース部２２と、外線と内線または内線同士の通話路となるスイッチ部２３と、内線電話機３の電話番号や発信者情報などを記憶する記憶部２４と、それらを制御する制御部２５とを備えている。
【００４７】
内線インタフェース部２１は、上述したように内線電話機３と内線電話線で接続され、６４Ｋｂｐｓの伝送速度を持ち２Ｂ＋Ｄで通信する。この内線インタフェース部２１は、接続する内線電話機がＩＰ電話機であればＴＣＰ／ＩＰ（Transmission Control Protocol/Internet Protocol）で通信する機能を有するものとすることもできる。
【００４８】
記憶部２４は、ＣＴＩデータ蓄積部２４ａを備えており、ＰＣ電話機４から内線電話機３を経由して送信されるメッセージが含まれるＣＴＩデータを蓄積する記憶手段である。また、記憶部２４には、複数の内線番号をグループ情報に対応させて設定されている。
【００４９】
制御部２５は、内線電話機３からＤチャンネルで送信される制御データを、内線インタフェース部２１を介して受信する。また、制御データを送信する場合には、内線インタフェース部２１を介して送信する。また、ＰＣ電話機４からのログイン状態に応じてＰＣ電話機４が内線電話機３に接続されているか否かの判定を行う機能を有している。また、指定した時間になると通知するタイマ手段を制御部２５内に備えている。このタイマ手段の機能は、本実施の形態のように制御部２５内に設けてもよいし、制御部２５とは別に設けてもよい。受信した制御データのＣＴＩデータを保存する場合には、制御部２５は、ＣＴＩデータ蓄積部２４ａへそのＣＴＩデータを格納する機能も有している。
【００５０】
次に、本発明の実施の形態に係る交換機システム１に用いられる内線電話機３の構成について図３に基づいて説明する。内線電話機３は、交換機２と接続する内線インタフェース部３１と、受話器であるハンドセット３２と、スピーカ３３と、マイク３４と、音声データの接続を行うスイッチ部３５と、ＰＣ電話機４と接続するＵＳＢインタフェース部３６と、設定などを格納する記憶部３７と、表示部３８と、それらを制御する制御部３９とを備えている。
【００５１】
内線インタフェース部３１は、交換機２と内線電話線で接続され、交換機２の内線インタフェース部２１と同様に２Ｂ＋Ｄで通信する。スイッチ部３５は、内線インタフェース部３１、ハンドセット３２，スピーカ３３、マイク３４、およびＵＳＢインタフェース部３６からの音声データを接続の切り替えにより流れる方向を変えるスイッチである。ＵＳＢインタフェース部３６は、上述したようにＰＣ電話機４と接続するインタフェースである。表示部３８は、制御部３９により制御される表示手段であり、例えば液晶表示パネルなどが使用できる。
【００５２】
制御部３９は、内線番号を送信先として指定した送信先情報とメッセージとを含むＣＴＩデータをＰＣ電話機４から受信すると、ヘッダを付与した制御データとして交換機２へ送信する機能を有している。また、交換機２から受信した制御データのメッセージに、ＵＳＢインタフェース部３６を介して接続されるＰＣ電話機４宛とする識別情報が付されていると、この制御データからヘッダを除いてＣＴＩデータとしてＰＣ電話機４へ送信し、この内線電話機３宛の識別情報が付されていると、このメッセージを表示部３８に表示する。
【００５３】
次に、本発明の実施の形態に係る交換機システム１に用いられるＰＣ電話機４の構成について図４に基づいて説明する。ＰＣ電話機４は、キーボードやマウスなどのキー入力部４１と、ＵＳＢインタフェース部４２と、液晶表示パネルやＣＲＴ（Cathode Ray Tube）などの表示部４３と、イヤホンとマイクがセットになったヘッドセットなどの音声入出力部４４と、記憶部４５と、これらを制御する制御部４６とを備えている。ＵＳＢインタフェース部４２は、上述したように内線電話機３のＵＳＢインタフェース部３６と接続するインタフェースである。
【００５４】
制御部４６は、メッセージを送信する際に、送信先となる内線電話機３の内線番号を送信先情報としてメッセージとともにＵＳＢインタフェース部４２に接続されている内線電話機３へ送信する。また、内線電話機３を介して受信したメッセージを表示部４３に表示する。
【００５５】
以上のように構成される本発明の実施の形態に係る交換機システムの動作を図に基づいて説明する。まず、交換機２と、内線電話機３と、ＰＣ電話機４とが通信するデータフォーマットについて図５および図６に基づいて説明する。図５は通信するデータのフォーマットを説明する図であって、（ａ）はＰＣ電話機４から交換機２へ通信するデータのフォーマットを説明する図であり、（ｂ）は交換機２からＰＣ電話機４へ通信するデータのフォーマットを説明する図である。図６は、ＰＣ用データの詳細フォーマットを説明する図である。
【００５６】
交換機２へ送信される制御データは、その発信元が、内線電話機３である場合と、ＰＣ電話機４である場合がある。図５（ａ）に示すように、発信元が内線電話機３である場合には、内線電話機３は、交換機２へ送信するデータにヘッダとして電話機用であることを示す識別情報を付して制御データとして交換機２へ送信する。このときの内線電話機３から交換機２へ通知するデータは、電話機用制御データと呼ばれ、例えば内線電話機３の操
作ボタンが押されたときに通知するような状態の通知や、内線電話機３が交換機２へ発信を依頼するような制御の依頼をする場合に、その情報が格納される。
【００５７】
発信元がＰＣ電話機４である場合には、ＰＣ電話機４から送信されたＣＴＩデータにヘッダとしてＰＣ用であることを示す識別情報を付して制御データとして交換機２へ送信する。また、交換機２から送信される制御データの場合には、図５（ｂ）に示すように、内線電話機３はこのヘッダの識別情報を判定して、電話機用であれば取り込んでデータの解析を行い、ＰＣ用であればＣＴＩデータを取り出し、そのままＰＣ電話機４へ送信する。電話機用は、交換機２が、例えば着信の通知や、内線電話機３に文字列を表示させる通知をする際に、その情報を格納した電話機用制御データのヘッダとして使用される。
【００５８】
ＰＣ用とした制御データのフォーマットについて、図６に基づいて詳細に説明する。図６（ａ）に示すように、ＣＴＩデータは、データ種別情報、機能種別情報、送信先情報、送信元情報、パラメータ情報、そしてメッセージなどのデータが含まれている。データ種別は、送信先の装置の種別に応じて割り当てられた情報が格納される。送信先情報は、送信先を示す情報であり、送信先のＰＣ電話機４が接続される内線電話機３に割り当てられた内線番号である。送信元情報は、送信元を示す情報であり、送信するＰＣ電話機４が接続される内線電話機３に割り当てられた内線番号である。
【００５９】
機能種別情報は、ＣＴＩデータの機能を示す情報であり、この機能識別情報によりパラメータ、データの内容が異なる。例えば、発信したＰＣ電話機４から他のＰＣ電話機４の表示部４３への表示を行う場合は、図６（ｂ）に示すように、機能種別情報を「表示要求」を示す情報とする（ここで「表示」とは、画面に表示するという意味ではなく情報を通知するという意味で使用している）。そのときのパラメータは、表示を行う時刻を指定する場合には指定時刻を指定する。そしてデータは、ＰＣ電話機４へ通知するメッセージである内容（例えば、「Ｈｅｌｌｏ」、または「アイコン」などを示す情報など）が格納される。図６（ｂ）では、送信先情報として「１０２」が格納され、送信元情報として「１０１」が格納されている。つまり内線番号１０１の内線電話機３に接続されるＰＣ電話機４から内線番号１０２の内線電話機３に接続されるＰＣ電話機４へのメッセージであることを示している。
【００６０】
図６（ｃ）に示すように、ＰＣ電話機４への通知に対する応答を行う場合には、機能種別情報を「応答」を示す情報とする。そしてデータは、送信完了を示す情報が格納される。
【００６１】
また、図６（ｄ）に示すように、ＰＣ電話機４から文書データや画像データなどのファイルの送信を行う場合には、機能種別情報を「転送要求」を示す情報とする。そのときのパラメータは、ファイルを分割して送信する場合には、「先頭」「最後」など分割されたファイルの順序を示す情報とする。そしてデータにはファイルの内容が格納される。また送信先情報と送信元情報は内線番号が格納される。
【００６２】
このＣＴＩデータは、制御データとなってＰＣ電話機４，内線電話機３，交換機２の各構成を次のように伝送される。図２から図４に示すように、ＰＣ電話機４においてメッセージを送信する場合では、ＰＣ電話機４の制御部４６が、キー入力部４１から入力されたメッセージを、このメッセージを含むＣＴＩデータとして内線電話機３へＵＳＢインタフェース部４２を介して送信する。内線電話機３は、ＵＳＢインタフェース部３６を介してこのＣＴＩデータを受信する。受信したＣＴＩデータは制御部３９により、ＰＣ用であるヘッダを付してＤチャンネルで交換機２へ内線インタフェース部３１を介して送信する。
【００６３】
交換機２では、内線インタフェース部２１を介してＣＴＩデータを受信する。制御部２
５は、電話用としてヘッダである場合は、送信元の内線電話機３からの電話機用制御データなので、電話機用制御データに応じた処理を行う。また、ＰＣ用としたヘッダである場合には、ＣＴＩデータなので、ＣＴＩデータを解析した後に、交換機２内で処理を行うか、送信先情報の内線番号に割り当てられた内線電話機３へＤチャンネルで送信する。そして、この内線電話機３にＰＣ電話機４が接続されていれば内線電話機３は、ＰＣ電話機４へＣＴＩデータを送信する。このような経路でＰＣ電話機４から内線電話機３を介して交換機２へ、そして内線電話機３からＰＣ電話機４へデータが伝達される。
【００６４】
次に、本発明の実施の形態に係る交換機システム１の内線電話機３および交換機２の動作についてフローチャートに基づいて順に説明する。図７および図８は、図１の内線電話機の動作を説明するフローチャートである。図９から図１７は、図１の交換機の動作を説明するフローチャートである。
【００６５】
まず内線電話機３の動作を図７および図８に基づいて説明する。図７に示すように、内線電話機３の制御部３９は、ＰＣ電話機４からＵＳＢインタフェース部３６を介してメッセージをＣＴＩデータとして受信すると、制御部３９は、ＣＴＩデータが交換機２宛か否かを判定し、交換機２宛でない場合はそのまま処理を終了する（Ｓ１０）。制御部３９は、交換機２宛である場合には、このＣＴＩデータにＰＣ用であることを示す識別情報のヘッダを付与して制御データとする（Ｓ１１）。そして内線インタフェース部３１を介して交換機２へメッセージが含まれた制御データを送信する（Ｓ１２）。
【００６６】
図８に示すように、内線電話機３の制御部３９が交換機２から内線インタフェース部３１を介して制御データを受信すると、制御部３９は、ヘッダがＰＣ用であることを示す識別情報であるか否かを判定し、ＰＣ用でない場合はそのまま処理を終了する（Ｓ１３）。制御部３９は、ＰＣ用であると判定すると、ＣＴＩデータを取り出す（Ｓ１４）。そして制御部３９は、ＣＴＩデータをＰＣ電話機４へＵＳＢインタフェース部３６を介して送信する（Ｓ１５）。
【００６７】
次に、交換機２の動作を図９に基づいて説明する。図９に示すように、交換機２の制御部２５は、内線電話機３から内線インタフェース部２１を介して制御データを受信し、ヘッダによりこの制御データがＰＣ用であるか電話機用であるかを判定する（Ｓ２１）。その結果、電話機用であれば、制御部２５は、電話機用制御データに応じた処理を行う。例えば、内線電話機３がオフフックをしたときに、オフフックした旨の状態情報を電話用制御データとして交換機２へ送信する。交換機２は、ダイアルトーンをオフフックした内線電話機３宛に送信する処理を行う（Ｓ２２）。
【００６８】
Ｓ２１にてＰＣ用であると制御部２５が判定した場合には、この制御データからＣＴＩデータを抽出する（Ｓ２３）。そしてこのＣＴＩデータの処理（ＰＣメッセージ処理）を行う（Ｓ２４）。
【００６９】
次に、Ｓ２４にて行われるＣＴＩデータの処理について、図１０から図１７に基づいて順次説明する。まずＣＴＩデータが表示要求である場合の交換機２の動作を図１０のフローチャートに基づいて説明する。
【００７０】
ＰＣメッセージ処理は、制御部２５により、まず制御データの宛先となる送信先情報の内線番号を判定して、この交換機２に収容される内線番号か否かを判定する（Ｓ３０）。この交換機２がこの内線番号を収容していなければ、他の交換機２へ制御データを送信する（Ｓ３１）。
【００７１】
交換機２がこの内線番号を収容していれば、受信した制御データのＣＴＩデータが、Ｐ
Ｃ電話機４への「表示要求」で、表示するメッセージを含むものであれば、送信先情報の内線番号に割り当てられた内線電話機３にＰＣ電話機４が接続されているかを制御部２５が判定する。
【００７２】
この接続の判定は、内線電話機３を介してＰＣ電話機４が交換機２にログインしているか否かで判定される。本実施の形態では、内線電話機３にＰＣ電話機４が接続されているか否かの判定を、ＰＣ電話機４が交換機２へログインしているか否かの判定で行っている。しかし、これに限定されたものではなく、ＰＣ電話機４が内線電話機３と通信が可能であり、かつその通信可能な状態が交換機２側において判定可能な状態であれば接続状態と判定してよい。従って、内線電話機３とＰＣ電話機４とが通信ケーブルで接続され、内線電話機３および内線電話機３を介して交換機２と通信できるアプリケーションがＰＣ電話機４上で動作していればよい（Ｓ３２）。
【００７３】
送信先情報の内線番号に割り当てられた内線電話機３に接続されるＰＣ電話機４が、交換機２にログインしていると、制御部２５は受信したＣＴＩデータをＰＣ用であるヘッダを付して制御データとして送信先情報の内線番号の内線電話機３へ送信する（Ｓ３７）。そして制御部２５は、送信元情報の内線番号宛にＣＴＩデータを送信した旨の通知である機能種別情報を「応答」としてヘッダを付した制御データを送信する（Ｓ３８）。
【００７４】
Ｓ３２にて、送信先情報の内線番号に割り当てられた内線電話機３に接続されるＰＣ電話機４が交換機２にログインしていないときは、制御部２５はＣＴＩデータを記憶部２４のＣＴＩデータ蓄積部２４ａへ格納する（Ｓ３３）。そして制御部２５は、送信元情報の内線番号宛にＣＴＩデータを蓄積した旨の通知である機能種別情報を「表示要求」とし、パラメータを「通知」としてヘッダを付した制御データをメッセージ蓄積通知として送信する（Ｓ３４）。
【００７５】
ここで、記憶部２４に格納された設定により内線電話機３に対して表示を行うか否かを判定する（Ｓ３５）。記憶部２４に格納された設定が、内線電話機３にＰＣ電話機４が接続されていない場合はメッセージの内容を内線電話機３の表示部３８に表示しないとしている場合では、そのままこのＰＣメッセージ処理を終了する。
【００７６】
しかし、設定が、内線電話機３にＰＣ電話機４が接続されていない場合はメッセージの内容を内線電話機３の表示部３８に表示するとしている場合では、このメッセージを内線電話機３宛に送信する。この場合には、制御部２５は、ヘッダを電話機用とし、メッセージを含むＣＴＩデータを表示部３８への表示命令として電話機用制御データを作成して送信先情報の内線番号に割り当てられた内線電話機３へ送信する（Ｓ３６）。
【００７７】
次に、当初ＰＣ電話機４が交換機２にログインしていない状態であったが、その後ＰＣ電話機４が交換機２にログインした状態となった場合の交換機２の動作を図１１のフローチャートに基づいて説明する。
【００７８】
この交換機２が収容する内線電話機３に接続されるＰＣ電話機４からのログイン要求を受信した場合（Ｓ４０）、制御部２５は、ログイン処理をするとともに、このＰＣ電話機４宛のメッセージ（ＣＴＩデータ）がＣＴＩデータ蓄積部２４ａに格納されているか否かを判定する（Ｓ４１）。ＣＴＩデータ蓄積部２４ａに蓄積されていない場合には、その処理を終了する。
【００７９】
そして、ＣＴＩデータ蓄積部２４ａに蓄積されている場合には、制御部２５は、メッセージを含むＣＴＩデータにＰＣ用としたヘッダを付した制御データを、ログイン要求を送信したＰＣ電話機４宛に送信する（Ｓ４２）。そして、送信元情報の内線番号宛にＣＴＩ
データを送信先のＰＣ電話機４へ送信した旨の通知を、機能種別情報を「応答」としたＣＴＩデータにヘッダにＰＣ用と付した制御データにして送信する（Ｓ４３）。
【００８０】
次に、ＣＴＩデータが文書データや画像データなどのファイルの送信を行う場合を図１２のフローチャートに基づいて説明する。制御部２５により、ＣＴＩデータの機能種別情報が「転送要求」であるか否かの判定を行う（Ｓ４５）。機能種別情報が「転送要求」を示す情報でないと判定された場合には、他のＰＣメッセージ処理を行う（Ｓ４６）。ＣＴＩデータが、ＰＣ電話機４への「転送要求」である場合には、送信先情報の内線番号宛にファイルをデータとしたＣＴＩデータを送信する（Ｓ４７）。
【００８１】
次に、ＣＴＩデータが表示要求で、表示時刻が指定された場合を図１３のフローチャートに基づいて説明する。制御部２５により、まず機能種別情報を判定して、この機能種別情報が「表示要求」を示す情報が格納されている場合に、パラメータとして指定時刻が格納されているか否かを判定する（Ｓ５１）。指定時刻が格納されていない場合、この処理を終了する。Ｓ５１にて指定時刻が格納されている場合、制御部２５は、メッセージを含むＣＴＩデータを記憶部２４のＣＴＩデータ蓄積部２４ａに蓄積する。制御部２５は、指定時刻を制御部２５内に備えたタイマ機能にセットして起動する（Ｓ５２）。そして制御部２５は、送信元情報の内線番号宛にメッセージ蓄積通知として機能種別情報を「応答」としたＣＴＩデータにヘッダを付した制御データを送信する（Ｓ５３）。
【００８２】
次に、図１３のＳ５２でセットされた指定時刻となった場合の交換機２の動作を図１４のフローチャートに基づいて説明する。タイマが制御部２５に割り込みを通知する。制御部２５は、表示を行う時刻を指定するＣＴＩデータがＣＴＩデータ蓄積部２４ａに蓄積されているか否かを判定する（Ｓ５５）。もしなければ、指定時刻なったことを示す割り込みでないため、制御部２５は、他のタイマ処理を行う（Ｓ５６）。
【００８３】
Ｓ５５にて、表示を行う時刻を指定するＣＴＩデータがＣＴＩデータ蓄積部２４ａに蓄積されている場合は、制御部２５は、パラメータの指定時刻により指定された時刻となったか否かをタイマと比較して判定する。この判定で、指定された時刻でない場合は、そのまま処理を終了する（Ｓ５７）。指定された時刻である場合には、送信先情報の内線番号宛にＰＣ用であるヘッダを付した状態でＣＴＩデータを送信する（Ｓ５８）。そして制御部２５は、送信元情報の内線番号宛に機能種別情報を「応答」とし、データを「送信完了」として送信する（Ｓ５９）。
【００８４】
次に、交換機２が、受動型のメッセージ送信をする場合の交換機２の動作を図１５のフローチャートに基づいて説明する。この受動型とは、交換機２がメッセージを含むＣＴＩデータを保持し、ＰＣ電話機４からの要求に応じてＣＴＩデータを送信するものである。つまり、メッセージは、ＰＣ電話機４からの要求により受動的に交換機２から送信されるので、そう呼ばれている。
【００８５】
まず、制御部２５は、内線電話機３から受信したＣＴＩデータの機能種別情報が「表示要求」であり、かつパラメータに「受動型」を示す情報が格納されているか否かを判定する。受動型でない場合には、この処理を終了する（Ｓ６０）。ＣＴＩデータが受動型である場合には、このＣＴＩデータを記憶部２４のＣＴＩデータ蓄積部２４ａに蓄積する（Ｓ６１）。制御部２５は、送信元情報の内線番号宛にＣＴＩデータを蓄積した旨の通知を、機能種別情報を「応答」としたＣＴＩデータにヘッダを付した制御データを送信する（Ｓ６２）。
【００８６】
そして、制御部２５は、送信先情報の内線番号宛にメッセージ蓄積通知を、機能種別情報を「表示要求」とし、パラメータを「通知」として通知する（Ｓ６３）。
【００８７】
次に、Ｓ６３にてＣＴＩデータを蓄積した旨の通知を内線電話機３を介して受信し、その応答がＰＣ電話機４から受信した場合の交換機２の動作を図１６に基づいて説明する。
【００８８】
交換機２の制御部２５は、ＣＴＩデータ蓄積部２４ａに蓄積したＣＴＩデータの読み取り要求を受信したか否かを判定する。そして受信していなければ、この処理を終了する（Ｓ６５）。
【００８９】
メッセージ蓄積通知を内線電話機３を介して受信したＰＣ電話機４からの読み取り要求を受信した場合には、制御部２５は、ＣＴＩデータ蓄積部２４ａに読み取り要求を送信したＰＣ電話機４のＣＴＩデータが蓄積されているか否かを判定する（Ｓ６６）。
【００９０】
Ｓ６６にてＣＴＩデータ蓄積部２４ａに蓄積したＣＴＩデータがない場合には、制御部２５は、読み取り要求を送信したＰＣ電話機４へ、該当するメッセージがないことを示す通知を送信する（Ｓ６７）。
【００９１】
Ｓ６６にてＣＴＩデータ蓄積部２４ａに該当するメッセージがある場合には、制御部２５は、このメッセージ（ＣＴＩデータ）を読み取り要求を送信したＰＣ電話機４へ、送信先情報の内線電話番号宛に送信する（Ｓ６８）。そして、制御部２５は、送信元情報の内線番号宛へＣＴＩデータの送信完了を示す通知を送信する（Ｓ６９）。
【００９２】
次に、例えば設定された複数のＰＣ電話機４宛や、個々に指定した複数のＰＣ電話機４宛に送信したりする際の交換機２の動作を図１７のフローチャートに基づいて説明する。
【００９３】
この場合、交換機２の記憶部２４に、予め同報する全部のＰＣ電話機４が接続される内線電話機３の内線番号が設定されているものとする。また複数のＰＣ電話機４を個々に指定する場合には、ＰＣ電話機４が接続された内線電話機３に割り当てた内線番号で指定される。なお、図１７においては、交換機２の動作は、メッセージ蓄積通知を送信先のＰＣ電話機４へ送信する受動型とする。
【００９４】
制御部２５は、受信したＣＴＩデータの送信先情報が、設定された全てのＰＣ電話機４へ同報するものであるか否かを判定する（Ｓ７０）。設定された全てのＰＣ電話機４宛でない場合は、指定された複数のＰＣ電話機４宛か否かを判定する（Ｓ７１）。指定された複数のＰＣ電話機４宛でない場合は、１台のＰＣ電話機４宛であるので、送信先情報の内線番号宛へメッセージ蓄積通知を送信する（Ｓ７２）。
【００９５】
Ｓ７１にて、指定した複数のＰＣ電話機４宛のＣＴＩデータを受信した場合には、制御部２５は、指定された複数のＰＣ電話機４宛（送信先情報の複数の内線番号宛）へメッセージ蓄積通知を送信する（Ｓ７３）。
【００９６】
Ｓ７０にて、設定されたＰＣ電話機４へ同報する場合には、その全てのＰＣ電話機４へメッセージ蓄積通知を送信する（Ｓ７４）。そして制御部２５は、送信元情報の内線番号宛にメッセージ蓄積通知を、機能種別情報を「応答」としてヘッダを付した状態で送信する（Ｓ７５）。
【００９７】
次に、ＰＣ電話機４と、内線電話機３と、交換機２との間でのデータの流れを機能ごとに図１８から図２７に基づいて説明する。図１８から図２４は、ＰＣ電話機４と、内線電話機３と、交換機２との間でのデータの流れを説明するシーケンスチャートである。図２５から図２９は、ＰＣ電話機の表示部の表示例を示す図である。
【００９８】
図１８から図２２においては、内線番号１０１が割り当てられた内線電話機３ａにＰＣ電話機４ａが接続され、内線番号１０２が割り当てられた内線電話機３ｂにＰＣ電話機４ｂが接続された構成としている。図２３および図２４においては、図１８の構成に追加して、内線番号１０３が割り当てられた内線電話機３ｃにＰＣ電話機４ｃが接続され、内線番号１０２が割り当てられた内線電話機３ｂにＰＣ電話機４ｂが接続された構成としている。
【００９９】
図１８は、ＰＣ電話機４ａからＰＣ電話機４ｂへ文字列「Ｈｅｌｌｏ」を送信する例を示している。まず、Ｓ１００のデータの流れを説明する。ＰＣ電話機４ａに操作者が文字列「Ｈｅｌｌｏ」と、送信先である内線番号１０２を入力する。このときのＰＣ電話機４ａの表示部４３の画面例を図２５に示す。図２５のＰＣ電話機４ａの画面には、メッセージ入力ウィンドウが表示されている。操作者は送信先領域に送信先の内線番号を入力する。またメッセージ領域に文字列「Ｈｅｌｌｏ」を入力する。図２５のＰＣ電話機４ｂにはまだメッセージが受信されていないので、文字列が表示されていない状態である。また、文字列で示すメッセージの代わりに図形としてアイコンの情報を送信する場合には、図２８に示すように、文字列「Ｈｅｌｌｏ」の代わりにウィンドウに表示されたアイコンを選択する。
【０１００】
操作者はメッセージ入力ウィンドウに表示された送信ボタンをキー入力部４１により押下する。そうするとＰＣ電話機４ａはＣＴＩデータとして、データ種別をＰＣ、機能種別を「表示要求」、送信先情報を１０２、送信元情報を１０１として内線電話機３ａへ送信する。内線電話機３ａは、このＣＴＩデータにＰＣ用としたヘッダを付した制御データを交換機２へ送信する。交換機２ａは受信した制御データを内線電話機３ｂへ送信する。そして内線電話機３ｂは、制御データのヘッダがＰＣ用であるので、ＰＣ電話機４ｂへＣＴＩデータを抽出して送信する。ＰＣ電話機４ｂは、機能種別を判定して表示要求であると判定すると、データの「Ｈｅｌｌｏ」を表示部４３に表示する。
【０１０１】
Ｓ１０１は、交換機２ａが、内線電話機３ｂに設けられた表示部３８に表示させる場合である。この場合は、交換機２ａがＣＴＩデータを内線電話機３ｂの表示部３８に表示させる電話機用制御データへ変換し、ヘッダとして電話機用を付して内線電話機３ｂへ送信する。そうすることで、内線電話機３ｂの表示部３８に「Ｈｅｌｌｏ」の文字列を表示させることができる。内線電話機３ｂの表示部３８への表示は、ＰＣ電話機４ｂ宛のメッセージを受信したときは、常に表示させるようにしてもよいし、ＰＣ電話機４ｂの接続状態（ログイン状態）に応じて表示させるようにしてもよい。
【０１０２】
Ｓ１０２において、交換機２により、表示が完了したことを示す応答をＰＣ電話機４ａへ送信している。このときのＰＣ電話機４ａおよびＰＣ電話機４ｂの表示部４３の画面例を図２６に示す。ＰＣ電話機４ａでは、交換機２ａからの表示完了したことを示す応答により、「送信先がメッセージを受信しました」と表示されている。ＰＣ電話機４ｂでは、Ｓ１００にてメッセージを受信したので、そのメッセージの表示と、「メッセージを受信しました」と表示されている。また、文字列で示すメッセージの代わりに図形としてアイコンの情報を送信した場合には、図２９に示すように、文字列「Ｈｅｌｌｏ」の代わりにウィンドウにアイコンが表示される。
【０１０３】
このように、ＰＣ電話機４ａからＰＣ電話機４ｂへメッセージを送信する場合、相手を送信先情報として内線番号を指定して送ることができるので、電話機を通じて通話をする相手に、別途ネットワークを付設することなしにメッセージなどの情報交換をすることが可能である。
【０１０４】
図１９は、ＰＣ電話機４ａからＰＣ電話機４ｂへ文書データや画像データなどのファイ
ルを２回に分割して送信する例を示している。Ｓ１１０において、操作者が、ＰＣ電話機４ａでファイル名「ＡＡＡ．ＤＯＣ」を指定して送信を実行することで、ＰＣ電話機４ａは、ファイル読み込み処理の開始をして、機能種別として「転送要求」、送信先情報として１０２、データとして「ＡＡＡ．ＤＯＣ」の内容、そしてパラメータとして「先頭」を格納したＣＴＩデータを内線電話機３ａへ送信する。内線電話機３ａは、ヘッダにＰＣ用を付してこのＣＴＩデータを制御データに変換して交換機２ａへ送信する。そして交換機２は制御データを送信し、内線電話機３ｂはＰＣ用としたヘッダによりＣＴＩデータをＰＣ電話機４ｂへ送信する。
【０１０５】
Ｓ１１１において、ＰＣ電話機４ｂは、ＣＴＩデータを受信して機能種別が「転送要求」であることを解析し、ファイル書き込みの準備をする。
【０１０６】
Ｓ１１２において、ファイル書き込み準備が完了すると、ＰＣ電話機４ｂからＰＣ電話機４ａ宛に受信完了の応答が送信される。
【０１０７】
Ｓ１１３において、受信完了の応答を受信したＰＣ電話機４ａは、２回目で最後となる残りの「ＡＡＡ．ＤＯＣ」のデータと、パラメータを「最後」とした情報とを格納したＣＴＩデータを内線電話機３ａを介してＰＣ電話機４ｂへ送信する。
【０１０８】
Ｓ１１４において、ＰＣ電話機４ｂは、最後となる「ＡＡＡ．ＤＯＣ」のファイルのデータを受信すると、Ｓ１１２と同様に受信完了の応答をＰＣ電話機４ａへ送信する。
【０１０９】
Ｓ１１５において、ＰＣ電話機４ｂは、ファイル書き込みが完了したのでファイル書き込みの終了処理を行う。Ｓ１１６において、受信完了の応答を受信したＰＣ電話機４ａは、送信完了したことでファイル読み込みの終了処理を行う。
【０１１０】
このように、ＰＣ電話機４ａからＰＣ電話機４ｂへメッセージの他に、文書データや画像データを分割して送信することができるので、大容量のファイルであっても、内線を通じて送信先の相手に送ることができる。
【０１１１】
図２０は、ＰＣ電話機４ｂが交換機２ａへログインしていない未接続状態としたときに、ＰＣ電話機４ａからＰＣ電話機４ｂへ文字列を送信する例を示している。Ｓ１２０において、ＰＣ電話機４ａはＣＴＩデータとして、データ種別をＰＣ、機能種別を「表示要求」、送信先情報を１０２、送信元情報を１０１を指定して内線電話機３ａへ送信する。内線電話機３ａは、このＣＴＩデータにＰＣ用としたヘッダを付した制御データを交換機２へ送信する。
【０１１２】
Ｓ１２１において、交換機２ａは、内線番号１０２に対するＰＣ電話機４ｂのログイン状態を判定する。未接続状態であると、受信した制御データからＣＴＩデータを抽出してＣＴＩデータ蓄積部２４ａに蓄積する。
【０１１３】
Ｓ１２２において、交換機２ａは、蓄積したことを示す応答を、送信元情報に基づいてＰＣ電話機４ａへ送信する。このときのＰＣ電話機４ａの表示部４３の画面例を図２７に示す。ＰＣ電話機４ａでは、交換機２ａからの表示完了したことを示す応答により、「メッセージを送信しました」と表示されている。
【０１１４】
Ｓ１２３において、ＰＣ電話機４ｂが起動されることで、交換機２ａにログインする。ＰＣ電話機４ｂがログインすることで、内線電話機３ａに割り当てられた内線番号に基づいてＣＴＩデータ蓄積部２４ａからＣＴＩデータを検索する。
【０１１５】
Ｓ１２４において、該当するＣＴＩデータがある場合、交換機２ａは、ＰＣ電話機４ｂへそのＣＴＩデータを送信することで、ＰＣ電話機４ｂは文字列「Ｈｅｌｌｏ」を表示する。
【０１１６】
Ｓ１２５において、交換機２ａは、蓄積していたＣＴＩデータが読み込まれたことを受けて、送信完了を示す応答を送信元であるＰＣ電話機４ａへ送信する。このときのＰＣ電話機４ａおよびＰＣ電話機４ｂの表示部４３の画面例を図２６に示す。ＰＣ電話機４ａでは、交換機２ａからの表示完了したことを示す応答により、「送信先がメッセージを受信しました」と表示されている。ＰＣ電話機４ｂでは、Ｓ１２４にてメッセージを受信したので、そのメッセージの表示と、「メッセージを受信しました」と表示されている。
【０１１７】
このように、ＰＣ電話機４ａからＰＣ電話機４ｂへメッセージを送信する場合、ＰＣ電話機４ｂを使用する相手が交換機２ａにログインしていない未接続状態となっていても、メッセージを交換機２ａに蓄積することで、メッセージを失うことなく伝達することができる。
【０１１８】
図２１は、ＰＣ電話機４ａからＰＣ電話機４ｂへメッセージを時刻を指定して送信する送信予約の例を示している。
【０１１９】
Ｓ１３０において、ＰＣ電話機４ａはＣＴＩデータとして、データ種別をＰＣ、機能種別を「表示要求」、送信先情報を１０２、送信元情報を１０１、パラメータを１２：００を指定して内線電話機３ａへ送信する。内線電話機３ａは、このＣＴＩデータにＰＣ用としたヘッダを付した制御データを交換機２へ送信する。
【０１２０】
Ｓ１３１において、交換機２ａは、制御データを解析して、時間がまた午後１２時ではないことを判定すると、ＣＴＩデータ蓄積部２４ａにこのＣＴＩデータを蓄積するとともに、タイマ手段に１２：００をセットする。
【０１２１】
Ｓ１３２において、交換機２ａは、メッセージをＣＴＩデータ蓄積部２４ａに蓄積したことを示す蓄積通知をＰＣ電話機４ａへ送信する。
【０１２２】
Ｓ１３３において、時刻が午後１２時になったタイマ手段からの通知によりＣＴＩデータ蓄積部２４ａに蓄積したＣＴＩデータを検索する。
【０１２３】
Ｓ１３４において、交換機２ａは、送信先情報に基づいて表示要求のメッセージをＰＣ電話機４ｂへ送信する。ＰＣ電話機４ｂは、受信したＣＴＩデータのメッセージを表示する。
【０１２４】
Ｓ１３５において、ＰＣ電話機４ｂから受信したことを通知する応答をＰＣ電話機４ａへ送信する。
【０１２５】
このように、ＰＣ電話機４ａからＰＣ電話機４ｂへメッセージなどの情報を送信する場合、時刻を指定して送信することができるので、送信者の都合に合わせてメッセージを送信先の相手に送ることができる。
【０１２６】
図２２は、ＰＣ電話機４ａからのメッセージが交換機２ａで蓄積されたことを示すメッセージ蓄積通知に応じて、ＰＣ電話機４ｂからメッセージの読み取り要求通知を送信することでメッセージを読み取ることができる受動型の例を示している。Ｓ１４０において、ＰＣ電話機４ａはＣＴＩデータとして、データ種別をＰＣ、機能種別を「表示要求」、送信先情報を１０２、送信元情報を１０１を指定して内線電話機３ａへ送信する。内線電話
機３ａは、このＣＴＩデータにＰＣ用としたヘッダを付した制御データを交換機２へ送信する。
【０１２７】
Ｓ１４１において、交換機２ａは、受信した制御データからＣＴＩデータを抽出してＣＴＩデータ蓄積部２４ａに蓄積する。
【０１２８】
Ｓ１４２において、交換機２ａは、ＣＴＩデータ蓄積部２４ａにＣＴＩデータを蓄積した旨の通知であるメッセージ蓄積通知を、ＰＣ電話機４ｂへ送信する。このときのＰＣ電話機４ｂの表示部４３の画面例を図２７に示す。ＰＣ電話機４ｂでは、交換機２ａからメッセージ蓄積通知を受信したことにより、「メッセージを受信しました」と表示されている。
【０１２９】
Ｓ１４３において、交換機２ａは、ＣＴＩデータ蓄積部２４ａにＣＴＩデータを蓄積した旨の通知をＰＣ電話機４ａへ送信する。このときのＰＣ電話機４ａの表示部４３の画面例を図２７に示す。ＰＣ電話機４ａでは、交換機２ａからメッセージ蓄積通知をＰＣ電話機４ｂへ送信したことにより、「メッセージを送信しました」と表示されている。
【０１３０】
Ｓ１４４において、ＰＣ電話機４ｂは、メッセージ蓄積通知を受信すると、そのメッセージを読み取る要求の通知であるメッセージ読み取り要求通知を交換機２ａへ送信する。これは、図２７に示すＰＣ電話機４ｂの表示部４３に表示される読み込みボタンが押下されることで、メッセージ読み取り要求通知が交換機２ａへ送信される。
【０１３１】
Ｓ１４５において、メッセージ読み取り要求通知を受信した交換機２ａは、ＣＴＩデータ蓄積部２４ａから該当するＣＴＩデータを検索してＰＣ電話機４ｂへ送信する。
【０１３２】
Ｓ１４６において、ＰＣ電話機４ｂによるメッセージの読み取りが完了したので、その完了を送信元であるＰＣ電話機４ａへ送信する。このときのＰＣ電話機４ａおよびＰＣ電話機４ｂの表示部４３の画面例を図２７に示す。ＰＣ電話機４ａでは、交換機２ａからメッセージ蓄積通知をＰＣ電話機４ｂへ送信したことにより、「メッセージを送信しました」と表示されている。ＰＣ電話機４ｂでは、Ｓ１４５にてメッセージを受信したので、そのメッセージの表示と、「メッセージを受信しました」と表示されている。
【０１３３】
このように、ＰＣ電話機４ａからＰＣ電話機４ｂへメッセージなどの情報を送信する場合、メッセージを交換機２へ蓄積し、蓄積した旨の通知を送信先の相手へ送信することで、送信先の相手の都合に合わせてメッセージを読み取ることができる。
【０１３４】
図２３は、ＰＣ電話機４ａからのメッセージを同報グループへ送信する例を示している。この同報グループ（グループ情報）は予め交換機２ａに設定されており、着信グループに属する内線番号や、同じフロアの内線番号や、会社であれば全社の内線番号などとすることができる。本実施の形態では、この同報グループは、内線番号１０２、１０３、１０４が所属するものとする。
【０１３５】
Ｓ１５０において、ＰＣ電話機４ａはＣＴＩデータとして、データ種別をＰＣ、機能種別を「表示要求」、送信元情報を１０１、送信先情報を同報グループとして内線電話機３ａへ送信する。内線電話機３ａは、このＣＴＩデータにＰＣ用としたヘッダを付した制御データを交換機２へ送信する。
【０１３６】
Ｓ１５１において、交換機２ａはこのメッセージをＣＴＩデータ蓄積部２４ａに蓄積する。Ｓ１５２において、交換機２ａは、予め設定されている同報グループの内線番号宛に蓄積したことを示すメッセージ蓄積通知を送信する。
【０１３７】
Ｓ１５３において、交換機２ａは、送信元であるＰＣ電話機４ａへ蓄積したことを示す蓄積通知を送信する。そして図示していないが、メッセージ蓄積通知を受信したＰＣ電話機４ｂ，４ｃ，４ｄは、メッセージを読みたければメッセージ読み取り要求通知を交換機２ａへ送信することで、メッセージが含まれたＣＴＩデータを受信することができる。
【０１３８】
このように、ＰＣ電話機４ａから交換機２ａに予め設定されたＰＣ電話機４の全てにメッセージを送信することができるので、送信したいＰＣ電話機４の１台ごとに同じメッセージを送信する手間を省くことができる。また、送信先情報となる内線番号を指定する手間が短縮できる。
【０１３９】
図２４は、ＰＣ電話機４ａからのメッセージを複数のＰＣ電話機４を指定して送信する例を示している。この複数のＰＣ電話機４の指定は、それぞれが接続する内線電話機３に割り当てられた内線番号を指定することで行われる。
【０１４０】
Ｓ１６０において、ＰＣ電話機４ａはＣＴＩデータとして、データ種別をＰＣ、機能種別を「表示要求」、送信元情報を１０１、送信先情報を送信先となるそれぞれの内線番号１０２および１０４を指定して内線電話機３ａへ送信する。内線電話機３ａは、このＣＴＩデータにＰＣ用としたヘッダを付した制御データを交換機２へ送信する。
【０１４１】
Ｓ１６１において、交換機２ａはこのメッセージをＣＴＩデータ蓄積部２４ａに蓄積する。Ｓ１６２において、交換機２ａは、送信先情報に格納されているそれぞれの内線番号宛に蓄積したことを示すメッセージ蓄積通知を送信する。ここでは、内線番号１０２と１０４としているので、内線電話機３ｂ，３ｄへ送信される。
【０１４２】
Ｓ１６３において、交換機２ａは、送信元であるＰＣ電話機４ａへ蓄積したことを示す蓄積通知を送信する。そして図示していないが、メッセージ蓄積通知を受信したＰＣ電話機４ｂ，４ｄは、メッセージを読みたければメッセージ読み取り要求通知を交換機２ａへ送信することで、メッセージが含まれたＣＴＩデータを受信することができる。
【０１４３】
このように、ＰＣ電話機４ａから複数のＰＣ電話機４へメッセージを送信することができるので、１台ごとに同じメッセージを送信する手間を省くことができる。
【産業上の利用可能性】
【０１４４】
本発明は、電話機を通じて通話をする相手に、別途ネットワークを付設することなしにメッセージなどの情報交換を可能とすることができるので、ＰＣが接続可能な電話機と、この電話機が接続する交換機とを備える交換機システムに好適である。
【図面の簡単な説明】
【０１４５】
【図１】本発明の実施の形態に係る交換機システムの構成を説明する図
【図２】図１の交換機の構成を説明する図
【図３】図１の内線電話機の構成を説明する図
【図４】図１のＰＣ電話機の構成を説明する図
【図５】通信するデータのフォーマットを説明する図
【図６】ＰＣ用データの詳細フォーマットを説明する図
【図７】図１の内線電話機の動作を説明するフローチャート
【図８】図１の内線電話機の動作を説明するフローチャート
【図９】図１の交換機の動作を説明するフローチャート
【図１０】図１の交換機の動作を説明するフローチャート
【図１１】図１の交換機の動作を説明するフローチャート
【図１２】図１の交換機の動作を説明するフローチャート
【図１３】図１の交換機の動作を説明するフローチャート
【図１４】図１の交換機の動作を説明するフローチャート
【図１５】図１の交換機の動作を説明するフローチャート
【図１６】図１の交換機の動作を説明するフローチャート
【図１７】図１の交換機の動作を説明するフローチャート
【図１８】ＰＣ電話機と、内線電話機と、交換機との間でのデータの流れを説明するシーケンスチャート
【図１９】ＰＣ電話機と、内線電話機と、交換機との間でのデータの流れを説明するシーケンスチャート
【図２０】ＰＣ電話機と、内線電話機と、交換機との間でのデータの流れを説明するシーケンスチャート
【図２１】ＰＣ電話機と、内線電話機と、交換機との間でのデータの流れを説明するシーケンスチャート
【図２２】ＰＣ電話機と、内線電話機と、交換機との間でのデータの流れを説明するシーケンスチャート
【図２３】ＰＣ電話機と、内線電話機と、交換機との間でのデータの流れを説明するシーケンスチャート
【図２４】ＰＣ電話機と、内線電話機と、交換機との間でのデータの流れを説明するシーケンスチャート
【図２５】ＰＣ電話機の表示部の表示例を示す図
【図２６】ＰＣ電話機の表示部の表示例を示す図
【図２７】ＰＣ電話機の表示部の表示例を示す図
【図２８】ＰＣ電話機の表示部の表示例を示す図
【図２９】ＰＣ電話機の表示部の表示例を示す図
【符号の説明】
【０１４６】
１    交換機システム
２，２ａ，２ｂ    交換機
３，３ａ，３ｂ，３ｃ，３ｄ    内線電話機
４，４ａ，４ｂ，４ｃ，４ｄ    ＰＣ電話機
２１    内線インタフェース部
２２    外線インタフェース部
２３    スイッチ部
２４    記憶部
２４ａ    ＣＴＩデータ蓄積部
２５    制御部
３１    内線インタフェース部
３２    ハンドセット
３３    スピーカ
３４    マイク
３５    スイッチ
３６    ＵＳＢインタフェース部
３７    記憶部
３８    表示部
３９    制御部
４１    キー入力部
４２    ＵＳＢインタフェース部
４３    表示部
４４    音声入出力部
４５    記憶部
４６    制御部
【図１】
2006060632.tif 000003
【図２】
2006060632.tif 000004
【図３】
2006060632.tif 000005
【図４】
2006060632.tif 000006
【図５】
2006060632.tif 000007
【図６】
2006060632.tif 000008
【図７】
2006060632.tif 000009
【図８】
2006060632.tif 000010
【図９】
2006060632.tif 000011
【図１０】
2006060632.tif 000012
【図１１】
2006060632.tif 000013
【図１２】
2006060632.tif 000014
【図１３】
2006060632.tif 000015
【図１４】
2006060632.tif 000016
【図１５】
2006060632.tif 000017
【図１６】
2006060632.tif 000018
【図１７】
2006060632.tif 000019
【図１８】
2006060632.tif 000020
【図１９】
2006060632.tif 000021
【図２０】
2006060632.tif 000022
【図２１】
2006060632.tif 000023
【図２２】
2006060632.tif 000024
【図２３】
2006060632.tif 000025
【図２４】
2006060632.tif 000026
【図２５】
2006060632.tif 000027
【図２６】
2006060632.tif 000028
【図２７】
2006060632.tif 000029
【図２８】
2006060632.tif 000030
【図２９】
2006060632.tif 000031